(57)【要約】      （修正有）【課題】複数のピンプラグ端子と固定部材をまとめて一体的に固定部材に固定し一度にまとめて接続すると共に、小さい力で挿入と抜脱を行い、且つ、端子の相対位置関係を揃えて端子の挿入と抜脱を行うことができる複数ピンプラグ端子の挿抜装置を提供する。【解決手段】複数ピンプラグ端子の挿抜装置は、接続対象である複数のピンジャック端子４ａ〜４ｃに各々対応して装脱着することが可能であり、固定部材３と、この固定部材３に各々の一端が固定され、且つ、塑性変形しない繰り返し強度を有するクッション性をもつ複数のコイルバネ２ａ〜２ｃと、複数のコイルバネ２ａ〜２ｃの他端に各々固定されるピンプラグ端子１ａ〜１ｃとを有し、ピンプラグ端子１ａ〜１ｃをコイルバネ２ａ〜２ｃを介して固定部材３に固定し一体化し、且つ、複数存在するピンプラグ端子１ａ〜１ｃ同士の相対位置関係は、コイルバネ２ａ〜２ｃを介して複数のピンジャック端子４ａ〜４ｃ同士の相対位置関係と略同じである。【選択図】図１
0003207980.tif 000002
【実用新案登録請求の範囲】
【請求項１】
接続対象である複数のピンジャック端子に各々対応して装脱着することが可能な複数ピンプラグ端子の挿抜装置であって、
固定部材と、
この固定部材に各々の一端が固定され、且つ、塑性変形しない繰り返し強度を有するクッション性をもつ複数のコイルバネと、
前記複数のコイルバネの他端に各々固定されるピンプラグ端子とを有し、
前記ピンプラグ端子をコイルバネを介して固定部材に固定し一体化し、且つ、複数存在する前記ピンプラグ端子同士の相対位置関係は、前記コイルバネを介して前記複数のピンジャック端子同士の相対位置関係と略同じであることを特徴とする複数ピンプラグ端子の挿抜装置。
【請求項２】
前記複数のコイルバネは前記固定部材に固定された位置の順に徐々に長くなっており、前記複数のピンプラグ端子を前記複数のピンジャック端子に各々挿入する際は、前記コイルバネの長い方から順に行なうことを特徴とする請求項１に記載の複数ピンプラグ端子の挿抜装置。
【請求項３】
前記複数のコイルバネは前記固定部材に固定された位置の順に徐々に長くなっており、前記複数のピンプラグ端子を前記複数のピンジャック端子から各々抜脱する際は、前記コイルバネの短い方から順に行なうことを特徴とする請求項１に記載の複数ピンプラグ端子の挿抜装置。
【請求項４】
前記複数のコイルバネはクッション性を有することを特徴とする請求項１に記載の複数ピンプラグ端子の挿抜装置。
【請求項５】
前記複数のピンプラグ端子を前記ピンジャック端子に挿入する際、前記複数のコイルバネが完全に縮むことにより、挿入を完遂することを特徴とする請求項１に記載の複数ピンプラグ端子の挿抜装置。
【請求項６】
前記複数のピンプラグ端子の相対位置に対応した複数の穴が設けられ、前記複数のコイルバネに挟まれて固定された穴あきフィルムを有し、この穴あきフィルムに設けられた穴には各々対応する前記ピンプラグ端子が通ることを特徴とする請求項１に記載の複数ピンプラグ端子の挿抜装置。
【考案の詳細な説明】
【技術分野】
【０００１】
本考案は、電子機器同士を接続するための複数のピンプラグ端子の挿抜装置に関するものである。
【背景技術】
【０００２】
コンピュータ、テレビ、オーディオ機器等の電子機器内には、各種の入出力端子が同じ形状で複数備えつけられている。たとえば、映像信号用、右側音声信号用、左側音声信号用は同じ形状である場合がある。
従来より、電子機器の複数の入出力端子ピンジャックに複数のピンプラグ端子を接続する際に、特許文献「特開２００４−１２８１３３８号公報」や特許文献「特開平７-１０６０２２号公報」のように各コードのピンプラグ端子をまとめて一体的に固定部材に固定し一度にまとめて接続することが従来の技術で可能であったが、挿入や抜脱を繰り返すことによるピンプラグ端子の接合部の摩耗を早めたり、抜脱の際にコードを引っ張り等して、コードの破損や、コードの断線を発生する虞があった。
【先行技術文献】
【特許文献】
【０００３】
【特許文献１】特開２００４−１２８１３３８号公報
【特許文献２】特開平７-１０６０２２号公報
【考案の概要】
【考案が解決しようとする課題】
【０００４】
本考案が解決しようとする課題は、複数のピンプラグ端子と固定部材をまとめて一体的に固定部材に固定し一度にまとめて接続すると共に、前記ピンプラグ端子をコイルバネを介して一体的に固定することにより、小さい力で挿入と抜脱を行い、且つ前記端子の相対位置関係を揃えて前記端子の挿入と抜脱を行うことができる複数ピンプラグ端子の挿抜装置を提供することである。
【課題を解決するための手段】
【０００５】
上記課題を達成するために、実施形態の複数ピンプラグ端子の挿抜装置は、接続対象である複数のピンジャック端子に各々対応して装脱着することが可能であり、固定部材と、この固定部材に各々の一端が固定され、且つ、塑性変形しない繰り返し強度を有するクッション性をもつ複数のコイルバネと、前記複数のコイルバネの他端に各々固定されるピンプラグ端子とを有し、前記ピンプラグ端子をコイルバネを介して固定部材に固定し一体化し、且つ、複数存在する前記ピンプラグ端子同士の相対位置関係は、コイルバネを介して前記複数のピンジャック端子同士の相対位置関係と略同じである。
【図面の簡単な説明】
【０００６】
【図１】接続可能な複数の入出力端子ピンジャックを示す正面図と、本実施形態の複数ピンプラグ端子の挿抜装置の平面図
【図２】実施形態に係る複数ピンプラグ端子の挿抜装置の平面図
【図３】実施形態に係る複数ピンプラグ端子の挿抜装置の斜視図
【考案を実施するための形態】
【０００７】
以下、図面を参照して本考案の実施形態について説明する。
図１は、電子機器にある接続可能な複数の入出力端子ピンジャック端子４a、４b，４c
を示す正面図に対して、本実施形態の、挿入と抜脱を行う挿抜方向６a、６b、６cの複数のピンプラグ端子１a，１b，１cを保持するコイルバネ２a，２b，２cを備えたコイルバネ固定部材の平面図である。
【０００８】
各ピンプラグ端子１a，１b，１cにはそれぞれコード５a,５b,５cが接続されている。また、複数のピンジャック端子４a、４b，４cは、コンピュータ、テレビ、オーディオ機器等に固定され、各ピンプラグ端子１a，１b，１cが接続されると、コード５a,５b,５cが電気的に接続され、電気を流すことができる。
【０００９】
前記コイルバネ２a，２b，２cは、複数の入出力端子ピンジャック端子４a、４b，４cの中心位置を正確に踏襲し、繰り返し使用してもバネが劣化して横向きに曲がることがない強度、また、各ピンジャック端子と各ピンプラグ端子の相対位置関係を保つ強度を有しており、複数のピンプラグ１a，１b，１cの各中心は、複数のピンジャック端子の中心に位置するように保たれている。
【００１０】
各ピンプラグ端子１a，１b，１cは、各ピンジャック端子４a、４b，４cにそれぞれ挿入される。各コイルバネ２a，２b，２cは図２の実施形態にあるようにそれぞれ異なる長さを有し、挿入順位を持たせることで、それぞれの挿抜方向６a、６b、６cに、それぞれ順に一つずつ嵌まり込み、一つのピンプラグ端子の挿入に有する力のみを用いて、前記コイルバネを備えたコイルバネ固定部材を指で持って、一つずつ嵌合する。
【００１１】
前記ピンプラグ端子１a，１b，１cを囲んでいる各コイルバネ２a，２b，２cは図２の実施形態のようにそれぞれ異なる長さを有し、抜脱の順位を持たせることで、それぞれの挿抜方向６a、６b、６cに、それぞれ順番に一つずつ抜き出し、一つのピンプラグ端子の抜脱に有する力のみを用いて、前記コイルバネを備えたコイルバネ固定部材を指で持って、一つずつ抜脱する。
【００１２】
図２の前記ピンプラグ端子１a，１b，１cを囲んでいる各コイルバネ２a，２b，２cには、挿抜に必要以上に固すぎず、柔らかすぎない適切な弾性を持たせることで、それぞれ挿抜方向６a、６b、６cに、余分な力を必要とせずに挿入と抜脱し、ピンプラグ端子とピンジャック端子の接合部の余分な摩耗を防ぐ。
【００１３】
前記ピンプラグ端子１a，１b，１cを囲んでいる各コイルバネ２a，２b，２cは、挿入する際に、完全に縮むことでコイルバネの弾性がなくなり挿入を確実に完遂する。
【００１４】
図３において前記ピンプラグ端子１a，１b，１cを囲んでいる各コイルバネ２a，２b，２cは、複数の入出力端子ピンジャック端子４a、４b，４cの位置を正確に踏襲しており、挿入時のそれぞれのピンプラグ端子の相対位置関係を保つため、挿抜方向の一定の範囲に図３の７穴あきフィルムの各孔８a、８b、８cに、各コイルバネの他端に各々固定される各ピンプラグ１a、１b、１cを挿通し、前記穴あきフィルムはコイルバネと接合し、コイルバネの相対位置関係の誤差範囲を設定する。
【００１５】
尚、本考案のいくつかの実施形態を説明したが、これらの実施形態は、例として提示したものであり、考案の範囲を限定することは意図していない。これら実施形態は、その他の様々な形態で実施されることが可能であり、考案の要旨を逸脱しない範囲で、種々の省略、置き換え、変更を行うことができる。これら実施形態やその変形は、考案の範囲や要旨に含まれると同様に、実用新案登録請求の範囲に記載された考案とその均等の範囲に含まれる。
【符号の説明】
【００１６】
１a・・・ピンプラグ1
１b・・・ピンプラグ2
１c・・・ピンプラグ3
２a・・・コイルバネ1
２b・・・コイルバネ2
２c・・・コイルバネ3
３・・・コイルバネ固定部品
４a・・・接続用の差し込み口ピンジャック１
４b・・・接続用の差し込み口ピンジャック２
４c・・・接続用の差し込み口ピンジャック３
５a・・・コード１
５b・・・コード２
５c・・・コード３
６a・・・ピンプラグ１とピンジャック１の挿抜方向
６b・・・ピンプラグ２とピンジャック２の挿抜方向
６c・・・ピンプラグ３とピンジャック３の挿抜方向
７・・・穴あきフィルム
８a・・・孔１
８b・・・孔２
８c・・・孔３
１０a・・・挿抜方向
１０b・・・挿抜方向
１０c・・・挿抜方向
１１a・・・ピンプラグ1
１１b・・・ピンプラグ2
１１c・・・ピンプラグ3
【図１】
0003207980.tif 000003
【図２】
0003207980.tif 000004
【図３】
0003207980.tif 000005